(57)【要約】【課題】防塵防滴機能を有し、調芯工程や調整工程において調整が施されることで光学性能を発揮することの出来るレンズ鏡筒を提供することができる。【解決手段】レンズを保持するレンズ鏡室と、前記レンズ鏡室の光学調整に用いる調整筒と、前記レンズ鏡室を固定するフロントリングと、防塵防滴リングを有したレンズ鏡筒において、前記調整筒は、リードカムを形成し、前記リードカムの中心線は前記レンズの光軸と垂直な線と鋭角をなし、前記リードカムと係合する前記レンズ鏡室に対して前記レンズのラジアル方向外側に位置し、前記防塵防滴リングは、前記ラジアル方向で前記レンズ鏡室と接し、スラスト方向で前記フロントリングと前記調整筒に挟持されることを特徴とするレンズ鏡筒。【選択図】図１
2020042119.tif 000002
【特許請求の範囲】
【請求項１】
レンズを保持するレンズ鏡室と、
前記レンズ鏡室の光学調整に用いる調整筒と、
前記レンズ鏡室を固定するフロントリングと、
防塵防滴リングを有したレンズ鏡筒において、
前記調整筒は、リードカムを形成し、前記リードカムの中心線は前記レンズの光軸と垂直な線と鋭角をなし、前記リードカムと係合する前記レンズ鏡室に対して前記レンズのラジアル方向外側に位置し、
前記防塵防滴リングは、前記ラジアル方向で前記レンズ鏡室と接し、スラスト方向で前記フロントリングと前記調整筒に挟持されることを特徴とするレンズ鏡筒。
【請求項２】
請求項１に記載のレンズ鏡筒は、
前記レンズ鏡室に対して前記ラジアル方向外側に、押え環を有し、
前記防塵防滴リングは、前記ラジアル方向で前記押え環と接し、スラスト方向で前記フロントリングと前記調整筒に挟持されることを特徴とする。
【発明の詳細な説明】
【技術分野】
【０００１】
本発明は、防塵防滴機能を有したレンズ鏡筒に関するものである。
【背景技術】
【０００２】
近年、交換レンズやカメラ本体は、外部から内部への水や埃の侵入を防ぐ防塵防滴機能を備えることが多い。具体的な防塵防滴機能を実現する方法として、隙間から雨滴などが浸入することを防止するために、レンズ鏡筒内部に特許文献１に記載の環状の緩衝材を配置することで機能を実現することが知られている。
【０００３】
防塵防滴機能とともに、レンズ鏡筒は光学性能も高い性能が求められる。このようなレンズ鏡筒は、ただ単に光学素子を保持するレンズ鏡室をレンズ鏡筒に合うように設計するだけでは、レンズ鏡筒を組み上げても十分な光学性能を得ることはできない。なぜなら、レンズ鏡筒は内部に複数のレンズ鏡室を有するゆえ、互いのレンズ鏡室の位置関係にズレが生じる。このズレがレンズ鏡筒の光学性能に悪影響を与えるからである。
【０００４】
そこで、近年では、上述したレンズ鏡筒内部のズレや製造上の誤差によって生じる光学性能低下を抑制するために調芯工程が用いられる。
【０００５】
調芯工程では、ＭＴＦ測定機などの調芯治具にレンズ鏡筒を取り付け、レンズ性能を観察しながらレンズ鏡筒内に保持されるレンズ鏡室の位置を調整する。調芯工程においてレンズ鏡室の位置を調整し、レンズ性能を発揮するのに最適なレンズ鏡室の位置となったところで、レンズ鏡筒とレンズ鏡室の係合部に接着剤を塗布などして固定する。これらの調芯工程により、レンズ鏡筒は本来の光学性能を発揮することが可能となる。
【先行技術文献】
【特許文献】
【０００６】
【特許文献１】特開２００６−２０１２５０号公報
【発明の概要】
【発明が解決しようとする課題】
【０００７】
引用文献１に記載のレンズ鏡筒は、調芯工程やレンズ間隔調整といった調整工程時にて第１レンズ群鏡室をスラスト方向に動かす場合、第１レンズ群鏡室と押え環との間隔が変化するため、緩衝材のつぶれ量・内径外径へのふくらみ量が一定でなくなる。
【０００８】
第１レンズ群鏡室と押え環の間隔が最大、つまり緩衝材のつぶれ量が最少となる状態でも、防塵防滴機能を保持するために第１レンズ群鏡室と押え環に接する必要があるため、緩衝材は、スラスト方向に一定程度の厚みが必要となり、体積も大きくなるという課題を有する。
【０００９】
さらには、第１レンズ群鏡室と押え環の間隔が小さくなるほど、緩衝材のつぶれ量に対する反発力が大きくなってしまうため、第１レンズ鏡室の位置ずれの懸念といった課題を有する。
【００１０】
本発明はこのような状況に鑑みてなされたものであり、防塵防滴機能を有し、調芯工程や調整工程において調整が施されることで光学性能を発揮することの出来るレンズ鏡筒を提供することを目的とする。
【課題を解決するための手段】
【００１１】
上記課題を解決するための手段である第１の発明は、レンズを保持するレンズ鏡室と、前記レンズ鏡室の光学調整に用いる調整筒と、前記レンズ鏡室を固定するフロントリングと、防塵防滴リングを有したレンズ鏡筒において、前記調整筒は、リードカムを形成し、前記リードカムの中心線は前記レンズの光軸と垂直な線と鋭角をなし、前記リードカムと係合する前記レンズ鏡室に対して前記レンズのラジアル方向外側に位置し、前記防塵防滴リングは、前記ラジアル方向で前記レンズ鏡室と接し、スラスト方向で前記フロントリングと前記調整筒に挟持されることを特徴とするレンズ鏡筒。
【００１２】
また、上述の課題を解決するための手段である第２の発明は、第１の発明に記載のレンズ鏡筒であって、前記レンズ鏡室に対して前記ラジアル方向外側に、押え環を有し、前記防塵防滴リングは、前記ラジアル方向で前記押え環と接し、スラスト方向で前記フロントリングと前記調整筒に挟持されることを特徴とするレンズ鏡筒。
【発明の効果】
【００１３】
本発明によれば、防塵防滴機能を有し、調芯工程や調整工程において調整が施されることで光学性能を発揮することの出来るレンズ鏡筒を提供することができる。
【図面の簡単な説明】
【００１４】
【図１】本発明の実施例に係るレンズ鏡筒１の断面図
【図２】本発明の実施例に係るレンズ鏡筒１を調芯調整後の断面図
【図３】図１に記載の第１レンズ群鏡室１０１と調整筒１０２と固定筒１０３の係合関係の拡大図
【図４】本発明の別実施例に係るレンズ鏡筒１と断面図
【発明を実施するための形態】
【００１５】
以下、添付の図面に従って、本発明を実施するための最良の形態について説明する。尚、この実施の形態により本発明が限定されるものではない。
【００１６】
図１は、本実施例のレンズ鏡筒の第１レンズ群周辺の断面図である。尚、各図面は、本発明の説明を簡単にするために簡略化されている。また、特に説明がない場合、図３を除いた図面は、左側が被写体側、右側が像側となり、上下方向をラジアル方向、左右方向をスラスト方向とする。図３の中心図は、左下側が被写体側、右上側が像側となる。
【００１７】
本実施例において、１はレンズ鏡筒、１００は第１レンズ、１０１は第１レンズ群鏡室、１０２は調整筒、１０３は固定筒、１０４は緩衝材、１０５はフロントリング、１０６はフロントラバー、１０７は化粧環、１０８は押え環、１１０は調芯固定群とする。
【００１８】
レンズ鏡筒１は、不図示のカメラ本体に脱着可能であり、レンズ鏡筒１のマウント部とカメラ本体のマウント部とがバヨネット機構などにより接続される。
【００１９】
第１レンズ１００は、レンズ鏡筒１の第１レンズ群に位置するレンズである。
【００２０】
第１レンズ群鏡室１０１は、第１レンズ１００を保持する鏡室である。
【００２１】
調整筒１０２は、リードカムが切ってあり、第１レンズ群鏡室１０１とコロにて係合している。従って、調整筒１０２を回転させることで、第１レンズ群鏡室１０１が、光軸に沿ってスラスト方向を前後に移動し、保持されている第１レンズ１００も移動する。好ましい位置に第１レンズ１００を調整することで、レンズ鏡筒１は好ましい光学性能を発揮する。
【００２２】
固定筒１０３は、第１レンズ群鏡室１０１と調整筒１０２とリードカムとコロにて係合し、保持する。
【００２３】
第１レンズ１００と第１レンズ群鏡室１０１と調芯固定群１１０は、調芯時に一体となって移動することから調芯群とする。
【００２４】
緩衝材１０４は、弾性部材であり撥水性微多孔部材からなる。レンズ鏡筒１内部への水や異物の侵入を防止する役目を担う。ラジアル方向は、調整筒１０２とフロントリング１０５によって挟持されている。
【００２５】
フロントリング１０５は、フィルタやフードを取り付けるための外観パーツである。また、フロントリング１０５の先端部には、弾性部材により成型されたフロントラバー１０６が固定されている。
【００２６】
フロントラバー１０６は、レンズ鏡筒１の被写体側先端部に取り付けられている。これにより、レンズ鏡筒１を立てて置いた場合や、レンズ鏡筒１の先端部が何かものに接触した場合などにレンズ鏡筒１を保護する役目を担う。
【００２７】
化粧環１０７は、被写体側より入射してくる光線をカットする機能を有し、第１レンズを固定するカシメを隠す。
【００２８】
押え環１０８は、被写体側より入射してくる光線をカットする機能を有し、第１レンズ１００を固定する役割を担う。
【００２９】
調芯固定群１１０は、調芯群を固定するためのビスと調芯工程で調整するための偏芯コロからなる。
【００３０】
ここで調芯工程について、説明する。
【００３１】
調芯工程には、主にシフト調芯とチルト調芯の２通りの方法がある。シフト調芯は、調芯群を図１に不図示のレンズ鏡筒１の光軸に垂直な面上を移動させることで、調芯群を光軸に対する垂直方向の位置を調整する。具体的には、図１上にて上下方向及び紙面表裏方向などである。チルト調芯は、調芯群中から光軸に垂直な面を被写体側又は像側に傾けて、調芯群の光軸に対する傾きを調整する。
【００３２】
調芯工程とは別にレンズ間隔調整という調整もある。このレンズ間隔調整は、合焦性能や球面収差や像面湾曲を調整するためにレンズ群又はレンズ群の中のレンズ間隔を調整するものである。
【００３３】
また、図２は、チルト調芯とレンズ間隔調整によって最も物体側へ第１レンズ１００を移動させた状態を示すレンズ鏡筒１の断面図である。
【００３４】
本願実施例にて調芯工程やレンズ間隔調整を行った際に、調芯群は、第１レンズ１００と第１レンズ群鏡室１０１と調芯固定群１１０となる。尚、これらの調芯群の構成要素は、調整された際にはチルト方向及びスラスト方向時に一体となって動く。
【００３５】
前述したいずれかの調芯工程を行うことで、調芯群は、光学性能が発揮するのに適切な位置へと調整された後、レンズ鏡筒１の外から治具が調芯固定群１１０にアクセスして操作することによって調芯群が固定される。
【００３６】
以下に具体的に調芯工程を行った場合の各構成要素の動きの説明を行う。
【００３７】
図３は、第１レンズ群鏡室１０１と調整筒１０２と固定筒１０３の俯瞰図である。図中第１レンズ群鏡室１０１のビスで留められた調芯固定群１１０を構成する偏芯コロは、調整筒１０２のリードカムに係合し、固定筒１０３のラジアル方向に幅を有するリードカムとも係合する。調整筒１０２のコロは、固定筒１０３の光軸回りに移動可能なリードカムと係合する。尚、図中のＯは光軸、Ａはラジアル方向、Ｂはスラスト方向、Ｃは調整筒１０２のリードカムの中心線をそれぞれ示している。
【００３８】
図３に示すように調整筒１０２には、周上３か所に均等にリードカムが切ってある。このリードカムの中心線は、光軸に対して垂直な線と鋭角をなす。
【００３９】
図３右下の図を用いて説明する。上側に被写体となるようにレンズ鏡筒１を見た際の光軸Ｏと調整筒１０２のリードカムの中心線Ｃの位置関係を示す。この時、光軸Ｏに対して垂直な線をとすると、光軸と垂直な線Ｏ´と調整筒１０２のリードカムの中心線Ｃは鋭角Θをなすように調整筒１０２のリードカムは切られる。
【００４０】
図１の状態からレンズ間隔調整を行う場合、調整筒１０２を光軸回りに回転させても、調整筒１０２自体はスラスト方向に移動することはない。一方、第１レンズ群鏡室１０１は、調整筒１０２のリードカムに沿って移動することでスラスト方向を前後する。
【００４１】
さらに、第１レンズ１００をチルトさせるには、調芯固定群１１０にて調整する。より詳細に説明すると、調芯固定群１１０は偏芯コロとビスとなっており、第１レンズ１００の外周上に複数箇所配置されている。よって、第１レンズ１００が所定の位置となるように各箇所の調芯固定群１１０である偏芯コロを調整する。
【００４２】
その結果、調整筒１０２とフロントリング１０５の間隔は、第１レンズ１００の調芯による調整量に依らず常に一定となる。間隔が常に一定であることによって、緩衝材１０４の厚みが決まる。よって、緩衝材１０４のサイズを複数揃えて間隔によって使い分けることをする必要がないので、作業工程が増えるといったことがない。
【００４３】
具体的には、図２に示すように調芯工程において、第１レンズ群鏡筒１０１を最も物体側に寄せる必要がある場合、従来技術であれば調整筒１０２となるものが存在せずにレンズ鏡室自体が物体側へ移動するので、フロントリング１０５との間隔は最小となる。対照的に第１レンズ群鏡筒１０１を最も像側に寄せる必要がある場合、従来技術では、レンズ鏡室は像側へ移動するので、フロントリング１０５とレンズ鏡室の間隔は最大となる。この両パターンに１種類の緩衝材１０４にて対応しようとすると、後者に対応するために、緩衝材１０４は一定程度の厚みを要する。
【００４４】
一方、一定程度の厚みを要する緩衝材１０４では、前者に対応するには、緩衝材１０４が一定程度の厚みを有する故、調芯工程にて調芯群を調整した後、レンズ鏡筒１を組み立てる際、フロントリング１０５を装着すると緩衝材１０４の弾性力によって押し返されるためフロントリング１０５の装着が困難となる、又はレンズ鏡室に大きな力がかかることで調整がずれる、といった課題が発生する。
【００４５】
上記に挙げた課題に対して、厚みの複数異なる緩衝材１０４を用意し、フロントリング１０５とレンズ鏡室の間隔に合わせて適切な厚みの緩衝材１０４を選択するといった対策を取ることで防ぐことが可能となる。
【００４６】
しかし、上記対策を取る場合、組み立て時に調整後のフロントリング１０５とレンズ鏡室の間隔を計測し、間隔に適した緩衝材１０４を選択するという作業工程が増加するという新たな問題が発生する。
【００４７】
本願発明は、緩衝材１０４を挟持する構成要素に第１レンズ鏡室１０２との間に調整筒１０２を含めることでフロントリング１０５の間隔が一定であるのでこういった課題が発生しない。
【００４８】
また、本願発明は、第１レンズ群鏡室１０１の物体側に押え環１０８を用いることも可能である。
【００４９】
図４は、押え環１０８を用いたレンズ鏡筒１の断面図である。
【００５０】
本願実施例では、図１に示すように第１レンズ群鏡室１０１に直接緩衝材１０４が締め付けるように巻いてあるが、図４に示すように、押え環１０８を用いても構わない。押え環１０８を用いることで、迷光の除去をすることが可能となる。
【００５１】
本願発明の緩衝材１０４は、第１レンズ群鏡室１０１又は押え環１０８に対して、締め付けるように巻いてある。従って、本願発明のレンズ鏡筒１を組み立てた状態では、緩衝材１０４と第１レンズ群鏡室１０１又は押え環１０８とは密着している。また、上述したように、調整筒１０２とフロントリング１０５は、両者の間隔に適した緩衝材１０４を選択しているので、同様に密着している。以上述べたように、緩衝材１０４はラジアル方向・スラスト方向のいずれの隣接部材とも密着していることから防塵防滴機能を有する。
【００５２】
尚、緩衝材１０４をスラスト方向に密着させるためには、光軸から第１レンズ群鏡室１０１の外径までの距離に対して、光軸から緩衝材１０４の内径の距離を緩衝材１０４の硬度に応じて０．９０〜０．９５倍に設定することで、より確実に防塵防滴性能を得ることが可能となる。また、押え環１０８を用いた場合は、光軸から押え環１０８の外径までの距離に対して、同様とする。
【符号の説明】
【００５３】
１        レンズ鏡筒
１００    第１レンズ
１０１    第１レンズ群鏡室
１０２    調整筒
１０４    緩衝材
１０５    フロントリング
１０６    フロントラバー
１０７    押え環
１０８    化粧環
１１０    調芯固定群
【図１】
2020042119.tif 000003
【図２】
2020042119.tif 000004
【図３】
2020042119.tif 000005
【図４】
2020042119.tif 000006